(57)【要約】【課題】ユーザに電源の状態を容易に把握させるとともに、電源スイッチの位置を容易に判別させる。【解決手段】ノートＰＣが起動状態にあり、ＬＥＤが青色に点灯している場合において、ＬＣＤが表示するＯＳのメニュー画面にしたがって、キーボードにより、ノートＰＣをサスペンド状態に切り替えるためのスタンバイコマンド、またはノートＰＣをシャットダウン状態に切り替えるためのシャットダウンコマンドを入力する。スタンバイコマンドを入力すると、ＥＣ（エンベデッドコントローラ）は、ＢＩＯＳを介して、レジスタの制御用情報を、サスペンド状態を示す情報に書き換える。ＥＣは、レジスタの制御用情報に従い、ＬＥＤにより黄色の光を点灯させる。【選択図】    図５
2004227251.tif 000002
【特許請求の範囲】
【請求項１】
第１の状態と第２の状態で動作可能な本体と、
前記本体に設けられ、少なくとも一部が透光部材で構成された電源スイッチと、
前記本体内に設けられ、前記透光部材を介して第１の色または第２の色で発光される発光手段と、
前記本体の動作状態が第１の状態である場合、前記発光手段を前記第１の色で発光させ、前記本体の動作状態が第２の状態である場合、前記発光手段を前記第２の色で発光させる制御手段と
を具備したことを特徴とする電子機器。
【請求項２】
前記電源スイッチは、前記本体の上面に設けられることを特徴とする請求項１に記載の電子機器。
【請求項３】
前記本体の上面にはキーボードが設けられ、前記電源スイッチは前記キーボード上方の前記本体の上面に設けられていることを特徴とする請求項１に記載の電子機器。
【請求項４】
前記電子機器は、前記キーボードを覆う第１の位置と前記キーボードを露出させる第２の位置との間で前記本体と回動可能に接続される表示部と、
前記表示部が前記第１の位置であるか前記第２の位置であるかを検出する検出手段とを具備し、
前記検出手段により前記表示部が前記第１の位置であると検出された場合、前記制御手段は前記発光手段を消灯すること
を特徴とする請求項１または３に記載の電子機器。
【請求項５】
前記電子機器は時間の経過を計時するカウント手段をさらに具備し、
前記表示部が前記第２の位置であると検出された場合に、前記カウント手段により前記第２の位置の状態に移行してからの時間を計時し、
前記カウント手段により、前記第２の位置に移行してから所定時間経過したことが検出された場合、前記発光手段を消灯することを特徴とする請求項４に記載の電子機器。
【請求項６】
前記第１の状態は前記電子機器が電源オン状態であり、前記第２の状態は前記電子機器が電源オフ状態であることを特徴とする請求項１に記載の電子機器。
【請求項７】
前記電子機器は、さらに一時休止状態である第３の状態へ以降可能であり、且つ前記発光手段はさらに第３の色で点灯可能であり、前記判別手段により前記第３の状態を判別した場合に前記制御手段は前記発光手段を前記第３の色で点灯させることを特徴とする請求項６に記載の電子機器。
【請求項８】
前記電子機器は、前記キーボードを覆う第１の位置と前記キーボードを露出させる第２の位置との間で前記本体と回動可能に接続される表示部と、
前記表示部が前記第１の位置であるか前記第２の位置であるかを検出する検出手段とを具備し、
前記検出手段により前記表示部が前記第１の位置であると検出された場合、前記制御手段は前記発光手段を消灯すること
を特徴とする請求項７に記載の電子機器。
【請求項９】
前記電子機器は時間の経過を計時するカウント手段をさらに具備し、
前記表示部が前記第２の位置であると検出された場合に、前記カウント手段により前記第２の位置の状態に移行してからの時間を計時し、
前記カウント手段により、前記第２の位置に移行してから所定時間経過したことが検出された場合、前記発光手段を消灯することを特徴とする請求項８に記載の電子機器。
【請求項１０】
本体と、
前記本体の上面を覆う第１の位置と前記本体の上面を露出させる第２の位置との間で回動可能に接続される表示部と、
前記本体に設けられ前記本体の動作状態に基づき発光する発光手段と、
前記表示部が前記第１の位置であるか前記第２の位置であるかを検出する検出手段とを具備し、
前記検出手段により前記表示部が前記第１の位置であると検出された場合、前記発光手段を消灯すること
を特徴とする電子機器。
【請求項１１】
本体と、
前記本体の上面を覆う第１の位置と前記本体の上面を露出させる第２の位置との間で回動可能に接続される表示部と、
前記本体に設けられ前記本体の動作状態に基づき発光する発光手段と、
前記表示部が前記第１の位置であるか前記第２の位置であるかを検出する検出手段と、
時間の経過を計時するカウント手段を具備し、
前記表示部が前記第２の位置であると検出され、前記カウント手段により、前記第２の位置に移行してから所定時間経過したことが検出された場合、前記発光手段を消灯すること
を特徴とする電子機器。
【発明の詳細な説明】
【０００１】
【発明の属する技術分野】
本発明は、例えばノート型パーソナルコンピュータなどの電子機器に関する。
【０００２】
【従来の技術】
従来の、例えばノート型のコンピュータなどの電子機器には、電源スイッチのオンオフに伴った電源供給状態に応じて点灯または消灯するＬＥＤ（ＬｉｇｈｔＥｍｉｔｔｉｎｇ  Ｄｉｏｄｅ）を備えたものが存在する。このＬＥＤは、電源スイッチを押下して電源が投入された場合に例えば緑色に点灯し、電源が遮断された場合には消灯する（特許文献１）。
【０００３】
【特許文献１】
特開２０００−３０６４４９号公報（第１頁、第１図）
【０００４】
【発明が解決しようとする課題】
しかしながら、上記ＬＥＤは、電源スイッチの押下にしたがって点灯または消灯するものであり、電源の投入状態または遮断状態の２種類の状態を表示するのみである。よって、例えばノートＰＣ特有のスタンバイ（サスペンド）状態などの節電時の待機状態を表示することができない。また、このようなＬＥＤは、電源スイッチとは別体でノートＰＣ本体の異なる場所に設けられている。この場合、ＬＥＤにより電源状態を確認後、電源スイッチの場所を探して、電源投入を行う必要がある。このため、電源スイッチの場所をユーザが容易に認識可能な場所に配置することが望ましいという要求もある。
【０００５】
本発明は、上記の問題を解決するためになされたものであり、ユーザが電子機器の電源の状態を容易に把握することが可能でかつ電源スイッチの場所を容易に認識可能な電子機器を提供することを目的とする。
【０００６】
【課題を解決するための手段】
前記目的を達成するため、本発明の請求項１に係る電子機器は、第１の状態と第２の状態で動作可能な本体と、前記本体に設けられ、少なくとも一部が透光部材で構成された電源スイッチと、前記本体内に設けられ、前記透光部材を介して第１の色または第２の色で発光される発光手段と、前記本体の動作状態が第１の状態である場合、前記発光手段を前記第１の色で発光させ、前記本体の動作状態が第２の状態である場合、前記発光手段を前記第２の色で発光させる制御手段とを具備したことを特徴とする。
【０００７】
このような構成とすれば、電子機器の動作状態に応じて、発光手段を所定の色で発光させることにより、電子機器の状態を把握可能になると供に、電源スイッチの場所も把握可能となる。
【０００８】
また、本発明の請求項１０に係る電子機器では、本体と、前記本体の上面を覆う第１の位置と前記本体の上面を露出させる第２の位置との間で回動可能に接続される表示部と、前記本体に設けられ前記本体の動作状態に基づき発光する発光手段と、前記表示部が前記第１の位置であるか前記第２の位置であるかを検出する検出手段とを具備し、前記検出手段により前記表示部が前記第１の位置であると検出された場合、前記発光手段を消灯することを特徴とする。
【０００９】
このような構成によれば、電子機器の動作状態に応じて、発光手段を発光させることで電子機器の動作状態を把握可能としながら、且つ表示部が閉じられた場合には発光手段を消灯し省電力化を測ることが可能な電子機器を提供することが可能となる。
【００１０】
また、本発明の請求項１１に係る電子機器では、本体と、前記本体の上面を覆う第１の位置と前記本体の上面を露出させる第２の位置との間で回動可能に接続される表示部と、前記本体に設けられ前記本体の動作状態に基づき発光する発光手段と、前記表示部が前記第１の位置であるか前記第２の位置であるかを検出する検出手段と、時間の経過を計時するカウント手段を具備し、前記表示部が前記第２の位置であると検出され、前記カウント手段により、前記第２の位置に移行してから所定時間経過したことが検出された場合、前記発光手段を消灯することを特徴とする。
【００１１】
このような構成によれば、電子機器の動作状態に応じて、発光手段を発光させることで電子機器の動作状態を把握可能としながら、且つ表示部が開けられている状態でも、所定時間後に発光手段を消灯することで省電力化を図ることが可能な電子機器を提供することが可能となる。
【００１２】
【発明の実施の形態】
以下本発明をノート型のパーソナルコンピュータ（以下、ノートＰＣと称する）に適用した場合の実施形態について図面を参照して説明する。
図１は、本発明の実施形態に係わるノートＰＣの外観図である。
図１に示したように、本実施形態のノートＰＣは、本体ケース１、表示部ケース２およびヒンジ部３を有する。ヒンジ部３は、表示部ケース２を回転軸（図示せず）を中心に、キーボード４を覆う閉状態と、キーボード４を使用可能な状態に露出させる開状態との間で回動可能に支持する。
【００１３】
本体ケース１の上面１ａにはユーザからの入力手段となるキーボード４と、キーボード４とヒンジ部３との間のスペースには、半透明な部材で構成される電源スイッチ１１が設けられている。表示部ケース２は、表示デバイスであるＬＣＤ（Ｌｉｑｕｉｄ  Ｃｒｙｓｔａｌ  Ｄｉｓｐｌａｙ：液晶ディスプレイ）５の周辺部を内側から可視可能に支持しており、このことによりＬＣＤ５はその表示面が可視可能に設けられている。本体ケース１内の電源スイッチ１１のスイッチ面と対向する位置にはＬＥＤ（Ｌｉｇｈｔ  Ｅｍｉｔｔｉｎｇ  Ｄｉｏｄｅ：発光ダイオード）１２が設けられている。本実施形態ではＬＥＤ１２は、３色に発光可能であり、ノートＰＣの電源の状態にしたがって、青色、橙色または黄色のいずれかの色の光または全ての色を混合させた光を発する。電源スイッチ１１は半透明部材（または透明部材）により構成されているので、ＬＥＤ１２が発光することにより、電源スイッチ１１を透過して光が放射される。本実施形態では、電源スイッチ１１を本体ケース１の上面１ａの、キーボード４の上方に設けられたスペースに配置した。これは、ユーザが通常キーボード４の操作を行う際に手が触れない位置であり、且つパソコン使用時にＬＣＤ５からの視線移動が少なく、視野に入る位置であることを考慮したものである。このように上面１ａに設けることで、表示部ケース２が開状態であれば、電源スイッチ１１（ＬＥＤ１２）の発光色に基づいて、ユーザはノートＰＣのシステム状態を認識可能となる。但し、電源スイッチ１１を設ける箇所は、本体ケース１の上面１ａに限らず、例えば、表示部ケース２の前面２ａなどに設けても差し支えない。また、ＬＥＤ１２を設ける箇所は、電源スイッチ１１のスイッチ面と対向する位置に限らず、ＬＥＤ１２の発光した際の光が電源スイッチ１１の面を透過可能な位置なら良い。
【００１４】
本実施形態のノートＰＣは、電源の状態にしたがって、ＬＥＤ１２が発する光の色を変更する機能を有する。電源の状態とは、例えば、ノートＰＣの電源が投入されている状態（以下、起動状態と称する）、ノートＰＣが一時的に動作を停止している状態（以下、サスペンド状態と称する）、およびＯＳが終了してノートＰＣの動作が停止された状態（以下、シャットダウン状態と称する）を示す。
【００１５】
本実施形態では、ＬＥＤ１２は、起動状態では青色に点灯し、サスペンド状態では黄色に点灯し、また、シャットダウン状態では、橙色に点灯するものとする。このＬＥＤ１２から発せられる光が半透明部材で形成された電源スイッチ１１を透されることにより、ユーザはノートＰＣの状態を容易に把握でき、且つ電源スイッチ１１が設けられている場所を容易に認識可能となる。なお、ＬＥＤ１２の発する光の色については特に限定されるものではない。
【００１６】
図２は、図１に示したノートＰＣの本体ケース１の電源スイッチ１１およびその周辺の断面図である。
図２に示すように、基板１０には、電源スイッチ１１、ＬＥＤ１２、電源スイッチ押下検出部１５、筐体カバー１６、エンベデッドコントローラ（Ｅｍｂｅｄｄｅｄ  Ｃｏｎｔｒｏｌｌｅｒ：以後、ＥＣと称す）１７が設けられる。電源スイッチ１１は、弾性部材により本体ケース１内方向から本体ケース１外方向へ付勢されており、押下されていない状態では、本体ケース１の上面１ａとほぼ同一平面状に位置するように設けられている。また、電源スイッチ１１が押下され、その後電源スイッチ１１が離された場合などは、弾性部材により本体ケース１の上面１ａとほぼ同一平面上となる位置へ戻る。本実施形態では、電源スイッチ１１は、例えばスプリングを介在して基板１０に取り付けられる。
【００１７】
電源スイッチ１１の下部にはスイッチ端子１４が設けられており、スイッチ端子１４は、電源スイッチ１１の押下に応じて電源スイッチ押下検出部１５と接触する。電源スイッチ押下検出部１５は、基板１０に設けられており、スイッチ端子１４が接触すると電源スイッチ１１が押下されたことに応じた信号をＥＣ１７へ送出する。
【００１８】
ＥＣ１７は、電源スイッチ押下検出部１５からの信号を受信すると、ノートＰＣのシステム状態を判断し、ＬＥＤ１２の発光色を制御する。
【００１９】
電源スイッチ１１には中央部に半透明部材により構成された透過カバー１３が設けられている。この透過カバー１３は、例えばプラスチックやガラスなどにより形成された半透明もしくは透明な部材である。透過カバー１３は、ＬＥＤ１２により発せられた光を上方に透過可能であり、ユーザから見た場合、電源スイッチ１１が発光したように視認される。本実施形態では、電源スイッチ１１の中央部を透過カバー１３により形成しているが、電源スイッチ１１の周端部のみ透過部材により構成したり、電源スイッチ１１の面全てを透過カバーにより形成しても構わない。
【００２０】
図３は、図１に示したノートＰＣの内部の回路の構成を示すブロック図である。
図３では、ノートＰＣにおいて、本発明に関連する部分のみについて図示する。図３に示すように、ノートＰＣには、このノートＰＣ全体の制御を司るＣＰＵ１８が設けられている。ＣＰＵ１８には、ＮＢ（ノースブリッジ）１９が接続され、ＮＢにはＳＢ（サウスブジッジ）２０が接続されている。また、ＮＢ１９には、ＣＰＵ１８動作時のワークエリアとなるメインメモリ２１が接続される。メインメモリ２１には、システム動作中に入出力デバイスの制御を行ったりノートＰＣの基本入出力制御を実行するＢＩＯＳ２１ａが記憶されている。これは、ノートＰＣの起動時に図示しないＢＩＯＳ−ＲＯＭから読み出されて、メインメモリ２１へコピーされるものであり、ノートＰＣ起動後は主にメインメモリ２１内のＢＩＯＳ２１ａにより基本入出力制御及び電源状態の管理が行われる。
【００２１】
ＳＢ２０には、ＨＤＤ（ハードディスクドライブ）２３が接続される。ＨＤＤ２３は、不揮発性の記憶媒体であり、ノートＰＣの電源が投入されていない状態でデータを記憶可能なデバイスである。このＨＤＤ２３は、ＯＳおよびアプリケーションソフトウェアなどが記憶されており、これらのソフトウェアを実行する際は適宜メインメモリ２１に展開される。ＮＢ１９は、例えばＣＰＵ１８とＮＢ１９に接続されるデバイスとの間のデータ及びアドレス変換などの処理を実行するブリッジ回路である。ＳＢ２０は、ＳＢ２０を介して接続されるデバイス間でデータの入出力処理などを実行するブリッジ回路である。ＳＢ２０から延出されるバスには、ＥＣ１７が接続される。ＥＣ１７は、ＣＰＵ１８からリード／ライト可能なレジスタ１７ａを有する。ＥＣ１７には、電源スイッチ押下検出部１５、キーボード４、ＬＥＤ１２およびＬＣＤ開閉検出部２２が接続されている。ＬＣＤ開閉検出部２２は、例えば図１に示した本体ケース１の上面１ａに設けられている。この開閉検出部２２は弾性部材により本体ケース１の内部から上面１ａ方向へ弾性部材により付勢されて設けられた突出部材であり、表示部ケース２の開閉に応じて上下方向に摺動可能である。表示部ケース２が開状態から閉状態へ回動されると、ＬＣＤ開閉検出部２２は表示部ケース２に押下され下方へ摺動されることにより、表示部ケース２が開状態から閉状態へ遷移されたことを検出する。また、表示部ケース２が閉状態から開状態へ回動されると、ＬＣＤ開閉検出部２２は表示部ケース２による押圧がなくなるため、弾性部材により上方へ摺動され、表示部ケース２が閉状態から開状態へ遷移されたことを検出する。上述のように、ＬＣＤ開閉検出部２２により表示部ケース２の開閉状態が検出される。レジスタ１７ａは書き換え可能なメモリである。レジスタ１７ａは、特に、ＬＥＤ１２の点灯及びその際の発光色を決定する処理（以下、ＬＥＤ点灯処理と称する）に係る制御処理用ソフトウェアを記憶する。また、レジスタ１７ａは、ＬＥＤ１２の発光処理に係るノートＰＣの状態を記憶する。また、ＥＣ１７は、ノートＰＣの状態に応じてＢＩＯＳ２１ａの制御の元、ＣＰＵ１８によりレジスタ１７ａが書き換えられる。また、ＬＥＤ点灯処理に係る制御ソフトウェアは、ＥＣ１７が内蔵するＲＯＭに記憶されていても良い。
【００２２】
次に、本実施形態のノートＰＣによるＬＥＤ発光に係わる処理について説明する。
まず、ノートＰＣがシャットダウン状態から起動状態に切り替わった場合のＬＥＤ点灯処理（以下、第１のＬＥＤ点灯処理と称する）について説明する。
図４は、図１に示したノートＰＣが実行する第１のＬＥＤ点灯処理の内容を示すフローチャートである。
ここで、ノートＰＣはシャットダウン状態であると仮定する。この状態では、ＬＥＤ１２は橙色に点灯しており（ステップＳ１）、電源スイッチ１１は橙色に発光されている。次に、電源スイッチ１１を押下する。すると、スイッチ端子１４が電源スイッチ押下検出部１５に接触する。電源スイッチ押下検出部１５は、電源スイッチ押下検出部１５にスイッチ端子１４が接触すると、これを検出する（ステップＳ２）。電源スイッチ押下検出部１５は、駆動制御信号をＥＣ１７に出力する。この駆動制御信号は、電源スイッチ１１が押下されたことを示す情報を含んでいる。ＥＣ１７は、駆動制御信号を入力すると、ＬＥＤ１２を青色、橙色、黄色を全て点灯させ（ステップＳ３）。ユーザには３色発光することにより白色に近い光が点灯したように見えることになる。
【００２３】
次に、押下した電源スイッチ１１を離すと、スイッチ端子１４が電源スイッチ押下検出部１５から離れる。電源スイッチ押下検出部１５は、スイッチ端子１４が離れると、これを検出する（ステップＳ４）。電源スイッチ押下検出部１５は、駆動制御信号をＥＣ１７に出力する。この駆動制御信号は、電源スイッチ１１が、該電源スイッチ１１を押下する以前の位置に復帰したことを示す情報を含んでいる。ＥＣ１７は、駆動制御信号を入力すると、ノートＰＣが起動状態に切り替わったと判別し、ＢＩＯＳ２１ａを介して、レジスタ１７ａの制御用情報を、起動状態を示す情報に書き換える。ＥＣ１７は、レジスタ１７ａの制御用情報に従い、ＬＥＤ１２により青色の光を点灯させる（ステップＳ５）。
【００２４】
これにより、ユーザは、電源スイッチ１１が内蔵するＬＥＤ１２の発光色に基づいて、ノートＰＣがシャットダウン状態から起動状態に切り替わったことを容易に認識することができる。また、半透明部材で形成された電源スイッチ１１を本体ケース１の上面１ａに設け、且つその下方にＬＥＤ１２を設けることで、特に視点を変えることなく電源の状態を認識できるようになる。
【００２５】
上述の例では、電源スイッチ１１が押された場合、離された場合それぞれの場合に応じて、スイッチが押されたか否かの信号が出力されているが、例えば“１”、“０”の二値信号で、スイッチが押された場合は“１”の信号（所定の電圧レベル）を出力し、スイッチが押されていない状態では“０”の信号（電圧レベルゼロ）といった信号ＥＣ１７へ出力することにより、ＥＣ１７でスイッチの押下を検出することも可能である。
【００２６】
次に、ノートＰＣが起動状態からサスペンド状態またはシャットダウン状態に切り替わった場合のＬＥＤ点灯処理（以下、第２のＬＥＤ点灯処理と称する）について説明する。
図５は、図１に示したノートＰＣが実行する第２のＬＥＤ点灯処理の内容を示すフローチャートである。
ここで、ノートＰＣは起動状態であると仮定する。この状態では、ＬＥＤ１２は青色に点灯している（ステップＳ１１）。ここで、例えばＬＣＤ５が表示するＯＳのメニュー画面にしたがって、キーボード４により、ノートＰＣをサスペンド状態に切り替えるためのコマンド（以下、スタンバイコマンドと称する）、またはノートＰＣをシャットダウン状態に切り替えるためのコマンド（以下、シャットダウンコマンドと称する）を入力する。
【００２７】
ＯＳのメニュー画面でスタンバイコマンドが入力された場合（ステップＳ１２のＹＥＳ）、ＣＰＵ１８はＢＩＯＳ２１ａの制御の元、ＥＣ１７内のレジスタ１７ａの制御用情報を、サスペンド状態を示す情報に書き換える（ステップＳ１３）。ＥＣ１７は、ＯＳがサスペンド状態に移行した後（ステップＳ１４）、レジスタ１７ａの制御用情報に従い、ＬＥＤ１２を黄色点灯させる（ステップＳ１５）。
【００２８】
一方、ＯＳのメニュー画面でシャットダウンコマンドが入力された場合（ステップＳ１２のＮＯからステップＳ１６のＹＥＳ）、ＣＰＵ１８はＢＩＯＳ２１ａの制御の元、レジスタ１７ａの制御用情報を、シャットダウン状態を示す情報に書き換える（ステップＳ１７）。ＥＣ１７は、ノートＰＣが電源オフ状態になった後（ステップＳ１８）、レジスタ１７ａの制御用情報に従い、ＬＥＤ１２を橙色の光で点灯させる（ステップＳ１９）。
【００２９】
これにより、ユーザは、ＯＳコマンド入力によりノートＰＣが起動状態からサスペンド状態またはシャットダウン状態に切り替わった場合に、夫々の状態を容易に把握することが可能である。
【００３０】
また、本実施形態のノートＰＣは、既に説明した第１の電源スイッチ１１の押下に伴う第１のＬＥＤ点灯処理またはコマンド入力による第２のＬＥＤ点灯処理を、表示部ケース２の開閉状態に従って実行又は停止させる機能（以下、ＬＥＤ点灯処理の開閉連動機能と称する）を有している。
【００３１】
開閉連動機能は、ノートＰＣが開状態にある場合には、第１のＬＥＤ点灯処理および第２のＬＥＤ点灯処理を実行させ、ノートＰＣが閉状態にある場合にはＬＥＤ１２の点灯を停止させる機能である。ノートＰＣが閉状態にある場合には、電源スイッチ１１は表示部ケース２に覆われることにより、ＬＥＤ１２の点灯状態を見ることができない。つまり、閉状態において、ＬＥＤ１２を点灯させておくことは、ノートＰＣのバッテリの無駄な消費の原因となり、且つＬＥＤ１２およびその他の部品の特性の無用な劣化を引き起こす原因となる。開閉連動機能は、上記説明した問題を解消することを目的として搭載された機能である。開閉連動機能は、開閉連動機能用の制御プログラムを例えばＥＣ１７に記憶させて実行させることで実現される。
【００３２】
図６は、図１に示したノートＰＣによるＬＥＤ点灯処理の開閉連動機能の内容を示すフローチャートである。
まず、ＬＣＤ開閉検出部２２は、ノートＰＣが閉状態または開状態のいずれにあるかを検出する。ＬＣＤ開閉検出部２２は、ノートＰＣが開状態であることを検出すると、駆動制御信号をＥＣ１７に出力する（ステップＳ２１→Ｓ２２）。ＥＣ１７は、駆動制御信号を入力すると、レジスタ１７ａに書込まれている制御用情報を参照して電源の状態を認識する（ステップＳ２３）。電源の状態は既に説明したように、起動状態、サスペンド状態およびシャットダウン状態のいずれかである。各状態に対応する表示色は既に説明したとおりである。そして、決定した表示色の光をＬＥＤ１２により出力させる（ステップＳ２５）。
【００３３】
一方、ＬＣＤ開閉検出部２２は、表示部ケース２が開状態から閉状態へ移行されたことを検出すると、駆動制御信号をＥＣ１７に出力する（ステップＳ２１→Ｓ２６）。ＥＣ１７は、駆動制御信号を入力すると、電源の状態に関係なく、ＬＥＤ１２を消灯させる（ステップＳ２７）。
【００３４】
以上説明したように、ＬＥＤ点灯処理の開閉連動機能を用いると、バッテリの無駄な消費、およびＬＥＤ１２とその他の部品特性の無用な劣化を防止することができる。
【００３５】
次に本実施形態のノートＰＣが有するタイマカウント機能について説明する。
タイマカウント機能は、第１のＬＥＤ点灯処理および第２のＬＥＤ点灯処理が実行され、ＬＥＤ１２が青色、黄色または橙色に点灯した後に一定時間が経過すると、該ＬＥＤ１２を消灯させる機能である。
【００３６】
ユーザは、青色、黄色または橙色に点灯した電源スイッチ１１（ＬＥＤ１２）により現在の電源の状態を認識可能であるが、この認識した状態をユーザが記憶していれば、ＬＥＤ１２を常時点灯させておく必要はなく、ＬＥＤ１２を消灯させることでバッテリ電力の無駄な消費を防止することが可能となる。タイマカウント機能は、タイマカウント用の制御プログラムを例えばＥＣ１７に記憶させて、これを実行させることで実現される。
【００３７】
図７は、図１に示したノートＰＣによるタイマカウント機能の内容を示すフローチャートである。
まず、第１のＬＥＤ点灯処理および第２のＬＥＤ点灯処理において、ＬＥＤ１２発する光の色が切り替わる、もしくは消灯した状態から特定の色の光が発せられると、タイマカウントを開始する（ステップＳ３１，Ｓ３２）。タイマカウントが開始されて所定時間（本実施形態では、例えば１分間）が経過すると、ＥＣ１７は、発する光の色に関係なくＬＥＤ１２を消灯させる（ステップＳ３２→Ｓ３３）。
【００３８】
また、上述の例では、ノートＰＣの状態（点灯色）に関わらず、所定時間が経過した後にＬＥＤ１２を消灯しているが、例えば電源オン状態の場合は常時点灯させておき、サスペンド状態、シャットダウン状態の時のみ、所定時間が経過したら消灯させるようにしても良い。これは、例えばノートＰＣがバッテリにより駆動されている場合はノートＰＣの状態（点灯色）に関わらず、所定時間が経過した後にＬＥＤ１２を消灯し、ノートＰＣがＡＣアダプタのような商用電源により駆動されている場合は特定状態（上記の例ではノートＰＣが電源オン状態）の時のみＬＥＤ１２を常時点灯させ、その他の状態の場合は所定時間経過後にＬＥＤ１２を消灯させるといった切換え制御も可能である。これは、図示しない電源マイコンにより電源供給元を判断し、ＥＣ１７へ信号を送出し、ＥＣ１７により制御される。
【００３９】
以上説明したように、タイマカウント機能を用いると、バッテリの無駄な消費、およびＬＥＤ１２とその他の部品特性の無用な劣化を防止することができる。
【００４０】
本実施形態のノートＰＣは、第１のＬＥＤ点灯処理に係る機能、第２のＬＥＤ点灯処理に係る機能、当該第１，第２のＬＥＤ点灯処理の開閉連動機能またはタイマカウント機能の実行の有無を機能別に選択することができる。この選択に係る処理は、例えば、ＨＤＤ２３に各種機能の実行の有無を選択する機能を有したソフトウェアを記憶し、このソフトウェアを起動して、実行の有無に係る選択画面をＬＣＤ５に表示させ、この選択画面にしたがってキーボード４により実行の有無を選択するコマンドを入力することで実現される。
【００４１】
次に、本実施形態において、開閉連動機能とタイマカウント機能とをともに用いた場合の動作について説明する。ノートＰＣが開状態から閉状態に切り替わった場合には、開閉連動機能により第１および第２のＬＥＤ点灯処理が停止し、ノートＰＣが閉状態から開状態に切り替わった場合には、開閉連動機能により第１および第２のＬＥＤ点灯処理が実行された上で、タイマカウント機能により１分間のタイマカウント後、ＬＥＤ１２が消灯する。
【００４２】
このように、本実施形態によれば、ノートＰＣの電源の状態の変化に応じて、ＬＥＤ１２の発光色を変化させるので、ユーザが電源の状態を容易に把握することが可能であり、且つ電源スイッチ１２の場所も認識可能となる。
【００４３】
本発明は前記実施形態に限定されるものではなく、実施段階ではその要旨を逸脱しない範囲で種々に変形することが可能である。更に、前記実施形態には、種々の段階の発明が含まれており、開示される複数の構成要件における適宣な組み合わせにより種々の発明が抽出され得る。
【００４４】
【発明の効果】
以上のように、本発明によれば、判別した電源の状態にしたがって、ＬＥＤにより発する光の色を変更させることができるので、電源の状態を容易に把握することが可能になるとともに、電源スイッチの位置を容易に判別可能である。
【図面の簡単な説明】
【図１】本発明の実施形態に係わるノートＰＣの外観図。
【図２】図１に示したノートＰＣの本体ケース１の電源スイッチ１１およびその周辺の断面図。
【図３】図１に示したノートＰＣの内部の回路の構成を示すブロック図。
【図４】図１に示したノートＰＣが実行する第１のＬＥＤ点灯処理の内容を示すフローチャート。
【図５】図１に示したノートＰＣが実行する第２のＬＥＤ点灯処理の内容を示すフローチャート。
【図６】図１に示したノートＰＣによるＬＥＤ点灯処理の開閉連動機能の内容を示すフローチャート。
【図７】図１に示したノートＰＣによるタイマカウント機能の内容を示すフローチャート。
【符号の説明】
１・・・本体ケース、２・・・表示部ケース、３・・・ヒンジ部、４・・・キーボード、５・・・ＬＣＤ（Ｌｉｑｕｉｄ  Ｃｒｙｓｔａｌ  Ｄｉｓｐｌａｙ：液晶ディスプレイ）、１０・・・基板、１１・・・電源スイッチ、１２・・・ＬＥＤ（Ｌｉｇｈｔ  Ｅｍｉｔｔｉｎｇ  Ｄｉｏｄｅ：発光ダイオード）、１３・・・透過カバー、１４・・・スイッチ端子、１５・・・電源スイッチ押下検出部、１６・・・筐体カバー、１７・・・ＥＣ（Ｅｍｂｅｄｄｅｄ  Ｃｏｎｔｒｏｌｌｅｒ：エンベデッドコントローラ）、１８・・・ＣＰＵ、１９・・・ＮＢ（ノースブリッジ）、２０・・・ＳＢ（サウスブジッジ）、２１・・・メインメモリ、２１ａ・・・ＢＩＯＳ、２２・・・ＬＣＤ開閉検出部、２３・・・ＨＤＤ。
【図１】
2004227251.tif 000003
【図２】
2004227251.tif 000004
【図３】
2004227251.tif 000005
【図４】
2004227251.tif 000006
【図５】
2004227251.tif 000007
【図６】
2004227251.tif 000008
【図７】
2004227251.tif 000009